(57)【特許請求の範囲】
【請求項１】
空気調和機（２）の梱包部材集合体（２０）であって、
前記空気調和機（２）の両側端部を覆うように装着される１対の端部緩衝部材（２１、２２）と、
前記空気調和機（２）の上部又は下部の一方に配置される第１板（２５ａ）と前記第１板（２５ａ）の周縁から前記第１板（２５ａ）に直交する方向に延びる第１側板（２５ｂ）とを有し、前記１対の端部緩衝部材（２１〜２２）が着脱自在に装着された前記空気調和機（２）を覆う第１梱包部材（２５）と、
前記空気調和機（２）の上部又は下部の他方に配置される第２板（２６ａ）と前記第２板（２６ａ）の周縁から前記第２板（２６ａ）に直交する方向に延びる第２側板（２６ｂ）とを有し、前記１対の端部緩衝部材（２１〜２２）が着脱自在に装着された前記空気調和機（２）を覆う第２梱包部材（２６）とを備え、
前記第１梱包部材（２５）及び前記第２梱包部材（２６）は、開梱後、前記第１側板（２５ｂ）の内側を前記第２側板（２６ｂ）の外側に嵌合させることにより、前記第２側板（２６ｂ）と前記第１板（２５ａ）と前記第２板（２６ａ）とによって囲まれた空間からなる収容空間部（２８）を形成可能であり、
前記１対の端部緩衝部材（２１〜２２）は、前記空気調和機（２）の梱包時には、前記第１梱包部材（２５）及び前記第２梱包部材（２６）の上下方向間にはみ出した状態となるサイズを有しており、かつ、前記空気調和機（２）への装着面を上下方向に向けた状態にして前記収容空間部（２８）に収容可能である、
空気調和機の梱包部材集合体（２０）。
【請求項２】
前記第１板（２５ａ）及び第２板（２６ａ）は長方形状である、請求項１に記載の空気調和機の梱包部材集合体（２０）。
【請求項３】
前記第１梱包部材（２５）及び第２梱包部材（２６）は樹脂製である、請求項１又は２に記載の空気調和機の梱包部材集合体（２０）。
【発明の詳細な説明】
【０００１】
【発明の属する技術分野】
本発明は、空気調和機の梱包部材集合体に関する。
【０００２】
【従来の技術】
従来の空気調和機の室外機の梱包として、室外機に保護フィルム被せた後、室外機の上部及び下部を樹脂製の緩衝部材で覆い、緩衝部材で保護された室外機の上部及び下部を段ボール製の上部梱包部材及び下部梱包部材でさらに覆い、結束バンドで周囲を結束することにより行われるものがある。
【０００３】
同様に、従来の空気調和機の室内機の梱包として、室内機に保護フィルムを被せた後、室内機の両端部を樹脂製の緩衝部材で覆い、緩衝部材で保護された室内機の上部及び下部を段ボール製の上部梱包部材及び下部梱包部材でさらに覆い、結束バンドで周囲を結束することにより行われるものがある。
【０００４】
このような梱包部材は、室外機及び室内機がユーザーに配送され開梱された後、廃棄物となっている。
【０００５】
【発明が解決しようとする課題】
近年、循環型社会システムへの対応の一つとして、空気調和機の梱包部材の再利用が求められている。
【０００６】
しかし、上記従来の空気調和機の梱包部材では、開梱後に、緩衝部材、上部及び下部梱包部材等の段ボール材等が紛失し易く、回収効率を向上させることが難しい。このため、梱包部材の再利用が促進されていないのが現状である。
【０００７】
本発明の課題は、空気調和機の梱包部材の回収効率を向上させることにある。
【０００８】
【課題を解決するための手段】
請求項１に記載の空気調和機の梱包部材集合体は、１対の端部緩衝部材と、第１梱包部材と、第２梱包部材とを備えている。１対の端部緩衝部材は、空気調和機の両側端部を覆うように装着されている。第１梱包部材は、空気調和機の上部又は下部の一方に配置される第１板と、第１板の周縁から第１板に直交する方向に延びる第１側板とを有している。第１梱包部材は、１対の端部緩衝部材が着脱自在に装着された空気調和機を覆っている。第２梱包部材は、空気調和機の上部又は下部の他方に配置される第２板と第２板の周縁から第２板に直交する方向に延びる第２側板とを有している。第２梱包部材は、１対の端部緩衝部材が着脱自在に装着された空気調和機を覆っている。第１梱包部材及び第２梱包部材は、開梱後、第１側板の内側を第２側板の外側に嵌合させることにより、第２側板と第１板と第２板とによって囲まれた空間からなる収容空間部を形成可能である。１対の端部緩衝部材は、空気調和機の梱包時には、第１梱包部材及び第２梱包部材の上下方向間にはみ出した状態となるサイズを有しており、かつ、空気調和機への装着面を上下方向に向けた状態にして収容空間部に収納可能である。
【０００９】
この空気調和機の梱包部材集合体では、開梱後に、第２梱包部材に１対の端部緩衝部材を収納し、第１梱包部材を被せて蓋をすることが可能である。このため、開梱後に、１対の端部緩衝部材が散乱しにくくなる。これにより、１対の端部緩衝部材の紛失を少なくして、梱包部材の回収効率を向上させることができる。また、この空気調和機の梱包部材集合体では、空気調和機の両側端部に１対の端部緩衝部材が配置されているため、室内機等の細長い形状を有する機器の梱包に適している。
【００１０】
請求項２に記載の空気調和機の梱包部材集合体は、請求項１において、第１板及び第２板は長方形状である。
【００１１】
この空気調和機の梱包部材集合体では、第１梱包部材を第２梱包部材に被せた後の荷姿が直方体形状の箱になる。これにより、回収時の荷扱いが容易となり、また、回収後に段積み保管もできる。
【００１２】
請求項３に記載の空気調和機の梱包部材集合体は、請求項１又は２において、第１梱包部材及び第２梱包部材は樹脂製である。
【００１３】
この空気調和機の梱包部材集合体では、第１梱包部材及び第２梱包部材を樹脂製として、紙段ボールを用いる場合に比べて耐久性を高めている。これにより、１対の端部緩衝部材の回収・再利用とともに、第１梱包部材及び第２梱包部材の再利用を促進できる。
【００１４】
【発明の実施の形態】
［第１実施形態］
以下、本発明の第１実施形態を図面に基づいて説明する。
【００１５】
（１）空気調和機の室外機の梱包部材集合体の構成
図１は本発明の第１実施形態にかかる空気調和機の室外機１及び梱包部材集合体１０の分解斜視図を示し、図２は第１実施形態の梱包部材集合体１０によって梱包された室外機１の外観斜視図を示している。
【００１６】
梱包部材集合体１０は、縦長の直方体形状の室外機１を梱包するための部材であり、２つの上部緩衝部材１１，１２と、２つの下部緩衝部材１３、１４と、上部梱包部材１５と、下部梱包部材１６と、結束バンド１７と、室外機１に被せられる保護フィルム（図示せず）とを備えている。
【００１７】
２つの上部緩衝部材１１、１２は、例えばスチロール樹脂からなる部材であり、室外機１の上部を保護している。２つの上部緩衝部材１１、１２は、室外機１の上部の長手方向の角部に嵌り込むことのできる凹み形状をそれぞれ有しており、室外機１の上部を覆うように着脱自在に装着されている。
【００１８】
２つの下部緩衝部材１３、１４は、例えばスチロール樹脂からなる部材であり、室外機１の下部を保護するために部材である。２つの下部緩衝部材１３、１４は、室外機１の下部の長手方向の角部に嵌り込むことのできる凹み形状をそれぞれ有しており、室外機１の下部を覆うように着脱自在に装着されている。
【００１９】
上部梱包部材１５は、上部緩衝部材１１、１２が装着された室外機１を上方から覆うように配置されている部材である。上部梱包部材１５は、室外機１の上部に配置される長方形状の天板１５ａと、天板１５ａの周縁から下方に向かって延びる上側板１５ｂとを有している。上部梱包部材１５は、本実施形態においては、樹脂段ボール製である。
【００２０】
下部梱包部材１６は、下部緩衝部材１３、１４が装着された室外機１を下方から覆うように配置されている部材である。下部梱包部材１６は、室外機１の下部に配置される長方形状の底板１６ａと、底板１６ａの周縁から上方に向かって延びる下側板１６ｂとを有している。下部梱包部材１６の材質は、上部梱包部材１５と同様、樹脂段ボール製である。
【００２１】
次に、上部梱包部材１５と下部梱包部材１６との寸法関係について説明する。上部梱包部材１５は、上部梱包部材１５の上側板１５ｂの内側を下部梱包部材１６の下側板１６ｂの外側に嵌合させることができるようになっている。具体的には、上部梱包部材１５の天板１５ａの長さＬ１は、下部梱包部材１６の底板１６ａの長さＬ２に比べて、少なくとも上側板１５ｂの板厚の２倍分だけ大きくなっている。同様に、天板１５ａの幅Ｗ１は、底板１６ａの幅Ｗ２に比べて、少なくとも上側板１５ｂの板厚の２倍分だけ大きくなっている。これにより、上部梱包部材１５の上側板１５ｂの内側を下部梱包部材１６の下側板１６ｂの外側に嵌めこむことができる。つまり、上部梱包部材１５は、図４に示すように、下部梱包部材１６に被せて蓋をすることができ、天板１５ａと底板１６ａと下側板１６ｂとに囲まれた直方体形状の収容空間部１８を形成できる。
【００２２】
結束バンド１７は、緩衝部材１１、１２、１３、１４、上部梱包部材１５及び下部梱包部材１６によって覆われた室外機１の周囲を結束するための樹脂製のテープ状の部材である。
【００２３】
（２）空気調和機の室外機の開梱後の梱包部材集合体の回収
図３及び図４を用いて、室外機１の開梱後の梱包部材集合体１０の回収について説明する。図３は梱包部材集合体１０の開梱後の緩衝部材１１、１２、１３、１４の収納状態を示す図であり、図４は梱包部材集合体１０の回収荷姿を示す斜視図である。
【００２４】
まず、梱包された室外機１を開梱して、室外機１から緩衝部材１１、１２、１３、１４、上部梱包部材１５及び下部梱包部材１６を取り外す。
【００２５】
次に、下部梱包部材１６内に緩衝部材１１、１２、１３、１４、結束バンド１７及び保護フィルムを収納した後、上部梱包部材１５を下部梱包部材１６に被せて蓋をして、回収荷姿を形成させる。
【００２６】
その後、配送車に梱包部材集合体１０を積載して回収し、出荷元等で段積み保管する。
【００２７】
（３）空気調和機の室外機の梱包部材集合体の特徴
本実施形態の梱包部材集合体には、以下の特徴がある。
【００２８】
（Ａ）緩衝部材の紛失防止
本実施形態の梱包部材集合体１０では、開梱後に、下部梱包部材１６に緩衝部材１１、１２、１３、１４を収納し上部梱包部材１５を被せて蓋をすることが可能である。このため、開梱後に、緩衝部材１１、１２、１３、１４が散乱しにくくなり、紛失を少なくできる。また、保護フィルムや結束バンド１７も緩衝部材１１、１２、１３、１４とともに収納できる。
【００２９】
（Ｂ）梱包部材集合体の回収効率の向上
上述のように、緩衝部材１１、１２、１３、１４の紛失を少なくできるので、梱包部材集合体１０の回収効率が向上する。
【００３０】
（Ｃ）梱包部材集合体の回収時の荷扱い性向上
上部梱包部材１５を下部梱包部材１６に被せた後の荷姿が直方体形状の箱になるため、回収時の荷扱いが容易である。
【００３１】
（Ｄ）梱包部材集合体の段積み保管
上述のように、回収時の梱包部材集合体１０の荷姿が直方体形状の箱であるため、回収後の段積みして保管ができる。
【００３２】
（Ｅ）上部及び下部梱包部材の再利用の促進
上部梱包部材１５及び下部梱包部材１６を樹脂段ボール製にしているので、紙段ボールを用いる場合に比べて、耐久性が向上している。これにより、梱包部材集合体１０の回収後、上部梱包部材１５及び下部梱包部材１６の再利用が促進される。
【００３３】
［第２実施形態］
以下、本発明の第２実施形態を図面に基づいて説明する。
【００３４】
（１）空気調和機の室内機の梱包部材集合体の構成
本実施形態は、本発明を空気調和機の室内機の梱包部材集合体に適用したものである。図５は、第２実施形態にかかる空気調和機の室内機２及び梱包部材集合体２０の分解斜視図を示し、図６は第２実施形態の梱包部材集合体２０によって梱包された室内機２の外観斜視図を示している。
【００３５】
梱包部材集合体２０は、細長い直方体形状の室内機２を梱包するための部材であり、２つの端部緩衝部材２１，２２と、上部梱包部材２５と、下部梱包部材２６と、結束バンド２７と、室内機２に被せられる保護フィルム（図示せず）とを備えている。
【００３６】
２つの端部緩衝部材２１、２２は、例えばスチロール樹脂からなる部材であり、室内機２の長手方向の両端部を保護している。２つの端部緩衝部材２１、２２は、室内機２の長手方向の端部に嵌り込むことのできる凹み形状をそれぞれ有しており、室内機２の端部を覆うように着脱自在に装着されている。
【００３７】
上部梱包部材２５は、端部緩衝部材２１、２２が装着された室内機２を上方から覆うように配置されている部材である。上部梱包部材２５は、室内機２の上部に配置される長方形状の天板２５ａと、天板２５ａの周縁から下方に向かって延びる上側板２５ｂとを有している。上部梱包部材２５は、本実施形態においては、樹脂段ボール製である。
【００３８】
下部梱包部材２６は、端部緩衝部材２１、２２が装着された室内機２を下方から覆うように配置されている部材である。下部梱包部材２６は、室内機２の下部に配置される長方形状の底板２６ａと、底板２６ａの周縁から上方に向かって延びる下側板２６ｂとを有している。下部梱包部材２６の材質は、上部梱包部材２５と同様、樹脂段ボール製である。
【００３９】
次に、上部梱包部材２５と下部梱包部材２６との寸法関係について説明する。上部梱包部材２５は、上部梱包部材２５の上側板２５ｂの内側を下部梱包部材２６の下側板２６ｂの外側に嵌合させることができるようになっている。具体的には、上部梱包部材２５の天板２５ａの長さＬ３は、下部梱包部材２６の底板２６ａの長さＬ４に比べて、少なくとも上側板２５ｂの板厚の２倍分だけ大きくなっている。同様に、天板２５ａの幅Ｗ３は、底板２６ａの幅Ｗ４に比べて、少なくとも上側板２５ｂの板厚の２倍分だけ大きくなっている。これにより、上部梱包部材２５の上側板２５ｂの内側を下部梱包部材２６の下側板２６ｂの外側に嵌めこむことができる。つまり、上部梱包部材２５は、図８に示すように、下部梱包部材２６に被せて蓋をすることができ、天板２５ａと底板２６ａと下側板２６ｂとに囲まれた直方体形状の収容空間部２８を形成できる。
【００４０】
結束バンド２７は、緩衝部材２１、２２、上部梱包部材２５及び下部梱包部材２６によって覆われた室内機２の周囲を結束するための樹脂製のテープ状の部材である。
【００４１】
（２）空気調和機の室内機の開梱後の梱包部材集合体の回収
図７及び図８を用いて、室内機２の開梱後の梱包部材集合体２０の回収について説明する。図７は梱包部材集合体２０の開梱後の緩衝部材２１、２２の収納状態を示す図であり、図８は梱包部材集合体２０の回収荷姿を示す斜視図である。
【００４２】
まず、梱包された室内機２を開梱して、室内機２から緩衝部材２１、２２、上部梱包部材２５及び下部梱包部材２６を取り外す。
【００４３】
次に、下部梱包部材２６内に緩衝部材２１、２２、結束バンド２７及び保護フィルムを収納した後、上部梱包部材２５を下部梱包部材２６に被せて蓋をして、回収荷姿を形成させる。
【００４４】
その後、配送車に梱包部材集合体２０を積載して回収し、出荷元等で段積み保管する。
【００４５】
（３）空気調和機の室内機の梱包部材集合体の特徴
本実施形態の梱包部材集合体においても、第１実施形態と同様の特徴を有している。
【００４６】
［他の実施形態］
以上、本発明の実施形態について図面に基づいて説明したが、具体的な構成は、この実施形態に限られるものではなく、発明の要旨を逸脱しない範囲で変更可能である。
【００４７】
例えば、第１及び第２実施形態においては、上部梱包部材を下部梱包部材に被せて蓋をする構成であったが、逆に、下部梱包部材を上部梱包部材に被せて蓋をする構成であってもよい。この場合においても、第１及び第２実施形態と同様の効果が得られる。
【００４８】
また、第１及び第２実施形態においては、上部梱包部材及び下部梱包部材の材質を樹脂段ボール製にしているが、紙段ボール製でもよい。この場合、上部梱包部材及び下部梱包部材を再利用できる回数は減少する点で、第１及び第２実施形態よりも劣るが、その他については同様な効果が得られる。
【００４９】
【発明の効果】
請求項１にかかる発明では、第２梱包部材に１対の端部緩衝部材を収納し、第１梱包部材を被せて蓋をすることが可能であるため、開梱後に、１対の端部緩衝部材が散乱しにくくなる。これにより、１対の端部緩衝部材の紛失を少なくして、回収効率を向上させることができる。また、空気調和機の両側端部に１対の端部緩衝部材が配置されているため、室内機等の細長い形状を有する機器の梱包に適している。
【００５０】
請求項２にかかる発明では、第１梱包部材を第２梱包部材に被せた後の荷姿が直方体形状の箱になるため、回収時の荷扱いが容易となり、また、回収後に段積み保管もできる。
【００５１】
請求項３にかかる発明では、第１梱包部材及び第２梱包部材を樹脂製として、紙段ボールを用いる場合に比べて耐久性を高めているため、これにより、１対の端部緩衝部材の回収・再利用とともに、第１梱包部材及び第２梱包部材の再利用を促進できる。
【図面の簡単な説明】
【図１】  本発明の第１実施形態にかかる室外機の梱包部材集合体の分解斜視図。
【図２】  本発明の第１実施形態にかかる梱包部材集合体によって梱包された室外機の外観斜視図。
【図３】  本発明の第１実施形態にかかる梱包部材集合体の開梱後の緩衝部材の収納状態を示す斜視図。
【図４】  本発明の第１実施形態にかかる梱包部材集合体の回収荷姿を示す斜視図。
【図５】  本発明の第２実施形態にかかる室内機の梱包部材集合体の分解斜視図。
【図６】  本発明の第２実施形態にかかる梱包部材集合体によって梱包された室内機の外観斜視図。
【図７】  本発明の第２実施形態にかかる梱包部材集合体の開梱後の緩衝部材の収納状態を示す斜視図。
【図８】  本発明の第２実施形態にかかる梱包部材集合体の回収荷姿を示す斜視図。
【符号の説明】
１            室外機（空気調和機）
２            室内機（空気調和機）
１０、２０      梱包部材集合体
１１、１２      上部緩衝部材（緩衝部材）
１３、１４      下部緩衝部材（緩衝部材）
１５、２５      上部梱包部材（第１梱包部材）
１５ａ、２５ａ  天板（第１板）
１５ｂ、２５ｂ  上側板（第１側板）
１６、２６      下部梱包部材（第２梱包部材）
１６ａ、２６ａ  底板（第２板）
１６ｂ、２６ｂ  下側板（第２側板）
１８、２８      収容空間部
２１、２２      端部緩衝部材（緩衝部材）
【図１】
0003948239.tif 000002
【図２】
0003948239.tif 000003
【図３】
0003948239.tif 000004
【図４】
0003948239.tif 000005
【図５】
0003948239.tif 000006
【図６】
0003948239.tif 000007
【図７】
0003948239.tif 000008
【図８】
0003948239.tif 000009